(57)【要約】【課題】解錠装置を低コストで導入することができ、居室内で人が操作することを必要とせずに遠隔でドアを解錠することができるようにする。【解決手段】本発明の一実施形態に係る解錠装置１００は、建物の玄関に設置される玄関機と、建物の居室に設置される居室機とを備えるインターホンシステムの居室機に取り付けられる筐体１１０と、所定の解錠音を検出する音検出部１２１と、鍵情報を記憶する記憶部１７０と、音検出部１２１が記憶部１７０に記憶された鍵情報に対応する情報を示す解錠音を検出した場合に、玄関を解錠するように居室機を操作する居室機操作部と、を有する。【選択図】図２
2019213175.tif 000002
【特許請求の範囲】
【請求項１】
建物の玄関に設置される玄関機と、前記建物の居室に設置される居室機とを備えるインターホンシステムの前記居室機に取り付けられる筐体と、
所定の解錠音を検出する音検出部と、
鍵情報を記憶する記憶部と、
前記音検出部が前記記憶部に記憶された前記鍵情報に対応する情報を示す前記解錠音を検出した場合に、前記玄関を解錠するように前記居室機を操作する居室機操作部と、
を有する解錠装置。
【請求項２】
前記居室機操作部は、前記記憶部に記憶された前記鍵情報及び現在時刻に基づいて解錠コードを生成し、前記解錠音が前記解錠コードを示す場合に、前記玄関を解錠するように前記居室機を操作する、請求項１に記載の解錠装置。
【請求項３】
前記筐体上で前記居室機の前方に支持され、前記居室機上に設けられたボタンの押下状態を切り替えるボタン押下部をさらに有し、
前記居室機操作部は、前記音検出部が前記記憶部に記憶された前記鍵情報に対応する情報を示す前記解錠音を検出した場合に、前記玄関を解錠するように前記ボタンの押下状態を前記ボタン押下部に切り替えさせる、請求項１又は２に記載の解錠装置。
【請求項４】
前記筐体は、前記居室機の前方に横架されるレールを含み、
前記ボタン押下部は、前記レール上に摺動可能に支持される、請求項３に記載の解錠装置。
【請求項５】
前記筐体は、対向する２方向から前記居室機を挟持する固定部を含み、前記固定部によって前記居室機に取り付けられる、請求項３又は４に記載の解錠装置。
【請求項６】
前記居室機に接続されており、前記居室機に信号を送信するための信号線をさらに有し、
前記居室機操作部は、前記音検出部が前記記憶部に記憶された前記鍵情報に対応する情報を示す前記解錠音を検出した場合に、前記玄関を解錠する信号を前記居室機に前記信号線を介して送信する、請求項１又は２に記載の解錠装置。
【請求項７】
前記居室機は、前記玄関機が操作されたことにより呼び出し音を出力し、
前記音検出部は、前記呼び出し音と、前記呼び出し音と異なる前記解錠音とを検出し、
前記居室機操作部は、前記音検出部が前記呼び出し音を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する、請求項１から６のいずれか一項に記載の解錠装置。
【請求項８】
前記居室機上に設けられた画面又はランプの発光を検出する光検出部をさらに有し、
前記居室機は、前記玄関機が操作されたことにより前記画面又は前記ランプを発光させ、
前記居室機操作部は、前記光検出部が前記発光を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する、請求項１から７のいずれか一項に記載の解錠装置。
【請求項９】
解錠装置と、携帯端末と、を備え、
前記解錠装置は、
建物の玄関に設置される玄関機と、前記建物の居室に設置される居室機とを備えるインターホンシステムの前記居室機に取り付けられる筐体と、
所定の解錠音を検出する音検出部と、
鍵情報を記憶する記憶部と、
前記音検出部が前記記憶部に記憶された前記鍵情報に対応する情報を示す前記解錠音を検出した場合に、前記玄関を解錠するように前記居室機を操作する居室機操作部と、
を有し、
前記携帯端末は、前記解錠装置に対して、前記解錠音を出力する音出力部を有する、解錠システム。
【請求項１０】
前記携帯端末を認証するサーバをさらに備え、
前記携帯端末は、前記サーバによって認証された場合に、前記解錠音を出力する、請求項９に記載の解錠システム。
【請求項１１】
前記携帯端末は、前記サーバによって認証された場合に、前記サーバから前記鍵情報に対応する解錠コードを受信し、受信した前記解錠コードを示す前記解錠音を出力する、請求項１０に記載の解錠システム。
【請求項１２】
前記携帯端末は、前記サーバによって認証された場合に、前記サーバから前記鍵情報を受信し、受信した前記鍵情報及び現在時刻に基づいて解錠コードを生成し、生成した前記解錠コードを示す前記解錠音を出力する、請求項１０に記載の解錠システム。
【発明の詳細な説明】
【技術分野】
【０００１】
本発明は、建物の玄関を解錠するための解錠装置及び解錠システムに関する。
【背景技術】
【０００２】
アパート、団地、マンション等の集合住宅において、共用スペースである集合玄関にドアを設け、各住民の居室から遠隔で集合玄関のドアを解錠可能なインターホンシステムが導入されている場合がある。そのようなインターホンシステムにおいて、集合玄関には訪問先の居室の番号を入力して呼び出す玄関機が設置され、居室には呼び出しを受けて集合玄関のドアを解錠する居室機が設置される。
【０００３】
また特許文献１には、玄関機から住民が有する携帯端末に無線通信を介して呼び出しを行い、携帯端末から集合玄関のドアを解錠可能にするインターホンシステムが記載されている。このような技術により、居室に居室機を設置する必要がなくなる。
【先行技術文献】
【特許文献】
【０００４】
【特許文献１】特開２０１６−１９２６７６号公報
【発明の概要】
【発明が解決しようとする課題】
【０００５】
ところで、居室の工事を行う際や、居室の販売や貸出のための下見を行う際に、玄関の鍵を有さない第三者を居室に受け入れることがある。このような状況において、居室機から集合玄関のドアを解錠する操作を行うためには、居室内に人が待機する必要があり、不便であるという問題があった。
【０００６】
また、特許文献１に記載の技術において、住民は、居室にいなくとも携帯端末から集合玄関のドアを解錠する操作を行うことができる。しかしながら、特許文献１に記載の技術は、集合住宅内の一部の居室にのみ導入することができず、導入には玄関機及び居室機の全体を入れ替えするための大きなコストが掛かるという問題があった。
【０００７】
本発明は上述の点に鑑みてなされたものであり、低コストで導入することができ、居室内で人が操作することを必要とせずに遠隔でドアを解錠することができる解錠装置及び解錠システムを提供することを目的とする。
【課題を解決するための手段】
【０００８】
本発明の第１の態様に係る解錠装置は、建物の玄関に設置される玄関機と、前記建物の居室に設置される居室機とを備えるインターホンシステムの前記居室機に取り付けられる筐体と、所定の解錠音を検出する音検出部と、鍵情報を記憶する記憶部と、前記音検出部が前記記憶部に記憶された前記鍵情報に対応する情報を示す前記解錠音を検出した場合に、前記玄関を解錠するように前記居室機を操作する居室機操作部と、を有する。
【０００９】
前記居室機操作部は、前記記憶部に記憶された前記鍵情報及び現在時刻に基づいて解錠コードを生成し、前記解錠音が前記解錠コードを示す場合に、前記玄関を解錠するように前記居室機を操作してもよい。
【００１０】
前記解錠装置は、前記筐体上で前記居室機の前方に支持され、前記居室機上に設けられたボタンの押下状態を切り替えるボタン押下部をさらに有し、前記居室機操作部は、前記音検出部が前記記憶部に記憶された前記鍵情報に対応する情報を示す前記解錠音を検出した場合に、前記玄関を解錠するように前記ボタンの押下状態を前記ボタン押下部に切り替えさせてもよい。
【００１１】
前記筐体は、前記居室機の前方に横架されるレールを含み、前記ボタン押下部は、前記レール上に摺動可能に支持されてもよい。
【００１２】
前記筐体は、対向する２方向から前記居室機を挟持する固定部を含み、前記固定部によって前記居室機に取り付けられてもよい。
【００１３】
前記解錠装置は、前記居室機に接続されており、前記居室機に信号を送信するための信号線をさらに有し、前記居室機操作部は、前記音検出部が前記記憶部に記憶された前記鍵情報に対応する情報を示す前記解錠音を検出した場合に、前記玄関を解錠する信号を前記居室機に前記信号線を介して送信してもよい。
【００１４】
前記居室機は、前記玄関機が操作されたことにより呼び出し音を出力し、前記音検出部は、前記呼び出し音と、前記呼び出し音と異なる前記解錠音とを検出し、前記居室機操作部は、前記音検出部が前記呼び出し音を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作してもよい。
【００１５】
前記解錠装置は前記居室機上に設けられた画面又はランプの発光を検出する光検出部をさらに有し、前記居室機は、前記玄関機が操作されたことにより前記画面又は前記ランプを発光させ、前記居室機操作部は、前記光検出部が前記発光を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作してもよい。
【００１６】
本発明の第２の態様に係る解錠システムは、解錠装置と、携帯端末と、を備え、前記解錠装置は、建物の玄関に設置される玄関機と、前記建物の居室に設置される居室機とを備えるインターホンシステムの前記居室機に取り付けられる筐体と、所定の解錠音を検出する音検出部と、鍵情報を記憶する記憶部と、前記音検出部が前記記憶部に記憶された前記鍵情報に対応する情報を示す前記解錠音を検出した場合に、前記玄関を解錠するように前記居室機を操作する居室機操作部と、を有し、前記携帯端末は、前記解錠装置に対して、前記解錠音を出力する音出力部を有する。
【００１７】
前記解錠システムは、前記携帯端末を認証するサーバをさらに備え、前記携帯端末は、前記サーバによって認証された場合に、前記解錠音を出力してもよい。
【００１８】
前記携帯端末は、前記サーバによって認証された場合に、前記サーバから前記鍵情報に対応する解錠コードを受信し、受信した前記解錠コードを示す前記解錠音を出力してもよい。
【００１９】
前記携帯端末は、前記サーバによって認証された場合に、前記サーバから前記鍵情報を受信し、受信した前記鍵情報及び現在時刻に基づいて解錠コードを生成し、生成した前記解錠コードを示す前記解錠音を出力してもよい。
【発明の効果】
【００２０】
本発明によれば、低コストで導入することができ、居室内で人が操作することを必要とせずに遠隔でドアを解錠することができる解錠装置及び解錠システムを実現するという効果を奏する。
【図面の簡単な説明】
【００２１】
【図１】第１の実施形態に係る解錠システムの模式図である。
【図２】第１の実施形態に係る解錠装置の前面図である。
【図３】第１の実施形態に係る解錠装置の前面図である。
【図４】第１の実施形態に係る受話ボタン押下部の側面図である。
【図５】第１の実施形態に係る解錠システムによる解錠方法の模式図である。
【図６】第１の実施形態に係る解錠装置のブロック図である。
【図７】第１の実施形態に係る携帯端末のブロック図である。
【図８】第１の施形態に係る解錠システムによる解錠方法のフローチャートを示す図である。
【図９】第２の実施形態に係る解錠装置のブロック図である。
【図１０】携帯端末が解錠音を生成する具体的な方法を説明する模式図である。
【図１１】第１の実施形態に係る解錠装置の前面図である。
【図１２】第３の実施形態に係る解錠装置の前面図である。
【発明を実施するための形態】
【００２２】
（第１の実施形態）
［解錠システムＳの概要］
図１は、本実施形態に係る解錠システムＳの模式図である。解錠システムＳは、解錠装置１００と、携帯端末２００と、管理サーバ３００とを備える。解錠システムＳは、集合住宅に設けられたインターホンシステムを利用する。インターホンシステムは、集合住宅の共用スペースである集合玄関に設置された玄関機１０と、居室に設置された居室機２０とを備える。玄関機１０は、集合玄関のドアの近傍に設置され、ドアの施錠及び解錠を制御する。玄関機１０と居室機２０とは、有線又は無線で電気的に接続される。
【００２３】
玄関機１０は、居室の番号を入力するための番号ボタン１１と、入力された番号の居室に設置された居室機２０への呼び出しを行うための呼び出しボタン１２とを有する。居室機２０は、玄関機１０からの呼び出しを受けた際に音の授受を開始するための受話ボタン２１と、集合玄関のドアを解錠するための解錠ボタン２２とを有する。
【００２４】
また、玄関機１０は、居室機２０の音入力部２４から受信した音を出力するスピーカを有する音出力部１３と、居室機２０の音出力部２３へ音を送信するマイクロホンを有する音入力部１４とを備える。
【００２５】
居室機２０は、呼び出しが行われた際の呼び出し音及び玄関機１０の音入力部１４から受信した音を出力するスピーカを有する音出力部２３と、玄関機１０の音出力部１３へ音を送信するマイクロホンを有する音入力部２４とを備える。
【００２６】
このような構成のインターホンシステムにおいて、まず訪問者であるユーザは、玄関機１０において訪問先の居室の番号を番号ボタン１１で入力し、呼び出しボタン１２を押下する。入力された番号に対応する居室機２０は、呼び出し音を音出力部２３から出力する。居室内の住民は、居室機２０において受話ボタン２１を押下し、ユーザに進入を許可する場合には解錠ボタン２２を押下する。これにより、玄関機１０及び居室機２０は、集合玄関のドアを解錠する。本実施形態に係る解錠システムＳは、この一連の解錠の流れを居室内に住民がいなくとも実行することができる。
【００２７】
携帯端末２００は、ユーザによって持ち運ばれる、スマートホン、タブレット端末等の通信機能を有するコンピュータである。携帯端末２００は、表示部２１０と、音出力部２２０と、音入力部２３０とを有する。音出力部２２０は、音を出力するスピーカを有する。音入力部２３０は、周囲から音を取得するマイクロホンを有する。
【００２８】
表示部２１０は、液晶ディスプレイ、有機エレクトロルミネッセンス（OLED: Organic Light Emitting Diode）ディスプレイ等、情報を表示可能な表示装置を有する。表示部２１０は、ユーザによる接触の位置を検出可能なタッチスクリーンを用いて構成されており、操作部としても機能する。
【００２９】
携帯端末２００は、解錠に用いるアプリケーション（ソフトウェア）を実行し、解錠装置１００との間で玄関機１０及び居室機２０を介して音を授受することによって、解錠装置１００に解錠を行わせる。
【００３０】
携帯端末２００は、有線又は無線のネットワークを介して管理サーバ３００と通信を行う。管理サーバ３００は、携帯端末２００のユーザを認証し、携帯端末２００による解錠を許可するか否かを判定する。また、管理サーバ３００は、解錠を行ったユーザ及び解錠の時間を記録する。
【００３１】
解錠装置１００は、居室機２０に取り付けられ、携帯端末２００との間で玄関機１０及び居室機２０を介して音を授受することによって、居室機２０の受話ボタン２１及び解錠ボタン２２を操作して解錠を行う装置である。
【００３２】
［解錠装置１００の説明］
図２及び図３は、本実施形態に係る解錠装置１００の前面図である。図２及び図３において、部材の内部の構造は破線で表されている。図２の解錠装置１００は、受話器を備えない居室機２０に取り付けられている状態にある。図３の解錠装置１００は、受話器を備える居室機２０に取り付けられている状態にある。受話器を備える居室機２０は、受話器上に音出力部２３及び音入力部２４を有する。
【００３３】
解錠装置１００は、筐体１１０と、制御部１２０と、受話ボタン押下部１３０と、解錠ボタン押下部１４０と、音出力部１５０と、音入力部１６０とを有する。
【００３４】
筐体１１０は、樹脂、金属等によって形成されている。筐体１１０は、固定部１１１によって居室機２０に取り付けられる。固定部１１１は、ばね等の弾性部材が上下方向、左右方向等の対向する２方向から筐体１１０を挟持することによって、筐体１１０を居室機２０上に固定する。固定部１１１は、弾性部材に限られず、ネジ、ボルト、ナット等の締結部材によって筐体１１０を固定してもよい。固定部１１１は、居室機２０が固定されている壁面上に筐体１１０を固定してもよい。
【００３５】
筐体１１０は、受話ボタン押下部１３０を支持する棒状の第１レール１１２と、解錠ボタン押下部１４０を支持する棒状の第２レール１１３とを有する。第１レール１１２及び第２レール１１３は、居室機２０の前方（すなわち居室機２０の受話ボタン２１及び解錠ボタン２２が設けられている側）に横架され、かつ居室機２０に沿って筐体１１０を移動可能に構成される。
【００３６】
さらに筐体１１０は、居室機２０の受話器を支持するためのフック１１４を有する。図３のように受話器を備える居室機２０を用いる場合に、フック１１４は居室機２０の受話器を支持する。
【００３７】
受話ボタン押下部１３０は、第１レール１１２上で、居室機２０の前方に設けられている。受話ボタン押下部１３０は、制御部１２０による制御に従って、居室機２０の受話ボタン２１を押下した状態（以下、押下状態という）と押下していない状態（以下、非押下状態）とを切り替えるように駆動する。受話ボタン押下部１３０は、筐体１１０及び第１レール１１２の内部又は表面に配設された導線等を介して制御部１２０と電気的に接続されており、制御部１２０からの制御信号を受ける。
【００３８】
受話ボタン押下部１３０の背面側（すなわち受話ボタン２１の反対側）には、支持部１３１が設けられている。支持部１３１は、第１レール１１２を通す孔を有しており、受話ボタン押下部１３０を第１レール１１２上で摺動可能に支持する。
【００３９】
解錠ボタン押下部１４０は、第２レール１１３上で、居室機２０の前方に設けられている。解錠ボタン押下部１４０は、制御部１２０による制御に従って、居室機２０の解錠ボタン２２を押下状態と非押下状態とを切り替えるように駆動する。解錠ボタン押下部１４０は、筐体１１０及び第２レール１１３の内部又は表面に配設された導線等を介して制御部１２０と電気的に接続されており、制御部１２０からの制御信号を受ける。
【００４０】
解錠ボタン押下部１４０の背面側（すなわち解錠ボタン２２の反対側）には、支持部１４１が設けられている。支持部１４１は、第２レール１１３を通す孔を有しており、解錠ボタン押下部１４０を第２レール１１３上で摺動可能に支持する。
【００４１】
このような構成によって、筐体１１０の第１レール１１２及び第２レール１１３の位置と、第１レール１１２及び第２レール１１３上の受話ボタン押下部１３０及び解錠ボタン押下部１４０の位置とを、所望の状態に調整することができる。このような構成により、解錠装置１００は、様々な配置の受話ボタン２１及び解錠ボタン２２を有する居室機２０に取り付け可能である。
【００４２】
本実施形態では第１レール１１２及び第２レール１１３を筐体１１０上で移動可能に構成したが、これに限られず、居室機２０の前方に横架された複数のレールを筐体１１０上に設け、受話ボタン押下部１３０及び解錠ボタン押下部１４０をレール上に付け外し自在に構成してもよい。受話ボタン押下部１３０及び解錠ボタン押下部１４０は、複数のレール上の所望の位置に取り付けられる。このような構成により、解錠装置１００は、様々な配置の受話ボタン２１及び解錠ボタン２２を有する居室機２０に取り付け可能である。
【００４３】
音出力部１５０は、制御部１２０による制御に従って音を出力するスピーカを有する。音入力部１６０は、周囲から取得した音の信号を制御部１２０に入力するマイクロホンを有する。
【００４４】
制御部１２０は、受話ボタン押下部１３０、解錠ボタン押下部１４０、音出力部１５０及び音入力部１６０に電気的に接続され、後述する解錠方法に従って各部を制御するコンピュータである。制御部１２０は、筐体１１０内に設けられた電池から供給される電力によって稼働してもよく、外部の電源から供給される電力によって稼働してもよい。
【００４５】
図４（ａ）及び図４（ｂ）は、本実施形態に係る受話ボタン押下部１３０の側面図である。ここでは受話ボタン押下部１３０の構成を説明するが、解錠ボタン押下部１４０も受話ボタン押下部１３０と同様の構成を有する。図４（ａ）及び図４（ｂ）において、部材の内部の構造は破線で表されている。図４（ａ）の受話ボタン押下部１３０は受話ボタン２１を押下しない非押下状態にあり、図４（ｂ）の受話ボタン押下部１３０は受話ボタン２１を押下する押下状態にある。
【００４６】
図４（ａ）、図４（ｂ）は、第１レール１１２の長手方向から受話ボタン押下部１３０及び受話ボタン２１を見た図である。受話ボタン押下部１３０の支持部１３１は、第１レール１１２上において、受話ボタン２１を押下可能な位置に受話ボタン押下部１３０を支持している。
【００４７】
受話ボタン押下部１３０は、突起部１３２と、駆動部１３３とを有する。突起部１３２は、棒状の部材であり、長手方向に沿って前後に移動可能に構成されている。駆動部１３３は、電力によって動力を発生させるモータ、アクチュエータ等の駆動機構である。突起部１３２は、駆動部１３３の動力によって、長手方向に沿って移動して受話ボタン２１を押下することができる。
【００４８】
突起部１３２及び駆動部１３３として、駆動部１３３の動力によって突起部１３２を移動させ、受話ボタン押下部１３０を非押下状態と押下状態との間で切り替え可能な任意の構成を用いることができる。例えば突起部１３２の側面に歯（ラック）を設けるとともに、駆動部１３３に突起部１３２の歯に噛合する歯車（ピニオン）を設けることによって、駆動部１３３の歯車が回転すると、突起部１３２が長手方向に沿って前後に移動する。
【００４９】
図２のように普段は押されていない受話ボタン２１が押されることによって音授受を開始する居室機２０の場合には、受話ボタン押下部１３０は、非押下状態から押下状態へ切り替わることによって、音授受を開始する。図３のように受話器によって普段は押されている受話ボタン２１が解放されることによって音授受を開始する居室機２０の場合には、受話ボタン押下部１３０は、押下状態から非押下状態へ切り替わることによって、音授受を開始する。受話ボタン押下部１３０を非押下状態から押下状態へ切り替えるか、又は押下状態から非押下状態へ切り替えるかは、制御部１２０に予め設定される。また、受話ボタン押下部１３０を非押下状態から押下状態へ切り替えた後に非押下状態に切り替えるように、又は押下状態から非押下状態へ切り替えた後に押下状態に切り替えるように、制御部１２０に設定されてもよい。
【００５０】
［解錠方法の説明］
図５は、本実施形態に係る解錠システムＳによる解錠方法の模式図である。具体的には、まず訪問者であるユーザは、玄関機１０において訪問先の居室の番号を入力して呼び出しを行う。入力された番号に対応する居室機２０は、呼び出し音Ａを出力する。
【００５１】
解錠装置１００は、呼び出し音Ａを音入力部１６０において検出すると、受話ボタン押下部１３０によって居室機２０の受話ボタン２１を押下し、音出力部１５０から開始音Ｂを出力する。開始音Ｂは、居室機２０を介して玄関機１０から出力される。開始音Ｂは、「いらっしゃいませ」のような声でもよい。また、開始音Ｂは、人間に聞こえない周波数の音（例えば超音波）でもよい。
【００５２】
また、開始音Ｂとして所定の規則によって符号化した音を用いてもよい。この場合に、携帯端末２００は、音入力部２３０において取得した音を所定の規則によって復号したものを開始音Ｂとして検出する。これによって、セキュリティを向上できる。
【００５３】
ユーザが有する携帯端末２００は、音入力部２３０において開始音Ｂを検出すると、管理サーバ３００から解錠許可の取得を行う。携帯端末２００は、管理サーバ３００から解錠許可を取得できた場合に、表示部２１０上に仮想的な解錠ボタン２１１を表示する。
【００５４】
本実施形態では携帯端末２００は居室機２０からの開始音Ｂを検出することを契機として管理サーバ３００から解錠許可の取得を行っているが、開始音Ｂの検出を省略してもよい。この場合には、携帯端末２００は、開始音Ｂの検出に関係なく表示部２１０上に仮想的なボタンを表示する。そして携帯端末２００は、ユーザが表示部２１０上の該ボタンを押下した際に、管理サーバ３００から解錠許可の取得を行い、解錠許可を取得できた場合に、以降の処理を行う。
【００５５】
ユーザが表示部２１０上の解錠ボタン２１１を押下すると、携帯端末２００は、解錠装置１００の解錠ボタン押下部１４０を非押下状態から押下状態に切り替えさせる切替情報として解錠音Ｃを音出力部２２０から出力する。解錠音Ｃは、玄関機１０を介して居室機２０から出力される。解錠音Ｃは、「解錠します」のような声でもよい。また、解錠音Ｃは、人間に聞こえない周波数の音（例えば超音波）でもよい。
【００５６】
また、解錠音Ｃとして所定の規則によって符号化した音を用いてもよい。この場合に、解錠装置１００は、音入力部１６０において取得した音を所定の規則によって復号したものを解錠音Ｃとして検出する。これによって、セキュリティを向上できる。
【００５７】
解錠装置１００は、音入力部１６０において切替情報としての解錠音Ｃを検出すると、解錠ボタン押下部１４０によって居室機２０の解錠ボタン２２を押下する。それと同時に、解錠装置１００は、音出力部１５０から「お入りください」のような声を出力してもよい。以上の解錠方法によって、解錠システムＳは、既存のインターホンシステムにおいて、集合玄関のドアを遠隔で解錠することができる。
【００５８】
［解錠装置１００の構成］
図６は、本実施形態に係る解錠装置１００のブロック図である。図６において、矢印は主なデータの流れを示しており、図６に示したもの以外のデータの流れがあってよい。図６において、各ブロックはハードウェア（装置）単位の構成ではなく、機能単位の構成を示している。そのため、図６に示すブロックは単一の装置内に実装されてよく、あるいは複数の装置内に別れて実装されてよい。
【００５９】
解錠装置１００は、上述の制御部１２０、受話ボタン押下部１３０、解錠ボタン押下部１４０、音出力部１５０及び音入力部１６０に加えて、記憶部１７０を有する。制御部１２０は、音検出部１２１と、ボタン押下制御部１２２と、音生成部１２３とを有する。
【００６０】
記憶部１７０は、ＲＯＭ（Read Only Memory）、ＲＡＭ（Random Access Memory）、ハードディスクドライブ等を含む記憶媒体である。記憶部１７０は、制御部１２０が実行するプログラムを予め記憶している。
【００６１】
制御部１２０は、例えばＣＰＵ（Central Processing Unit）等のプロセッサであり、記憶部１７０に記憶されたプログラムを実行することにより、音検出部１２１、ボタン押下制御部１２２及び音生成部１２３として機能する。制御部１２０の機能の少なくとも一部は、電気回路によって実行されてもよい。
【００６２】
音検出部１２１は、音入力部１６０が取得した音から、呼び出し音Ａ又は解錠音Ｃを検出する。具体的には、解錠装置１００は、記憶部１７０に、予め呼び出し音Ａ及び解錠音Ｃ（又は呼び出し音Ａ及び解錠音Ｃから生成した特徴情報）を記録しておく。音検出部１２１は、音入力部１６０が取得した音の全部又は一部が、記憶部１７０に記憶された呼び出し音Ａ又は解錠音Ｃと一致又は類似する場合に、呼び出し音Ａ又は解錠音Ｃを検出する。
【００６３】
解錠音Ｃとして所定の規則によって符号化した音を用いる場合には、音検出部１２１は、該所定の規則によって音入力部１６０が取得した音を復号する。そして音検出部１２１は、復号した音の全部又は一部が、記憶部１７０に記憶された解錠音Ｃと一致又は類似する場合に、解錠音Ｃを検出する。
【００６４】
ボタン押下制御部１２２は、居室機２０のボタンの押下状態を切り替えることによって、居室機２０を操作する居室機操作部として機能する。ボタン押下制御部１２２は、音検出部１２１が呼び出し音Ａを検出した場合に、受話ボタン押下部１３０を制御して非押下状態から押下状態へ切り替えさせ、居室機２０の受話ボタン２１を押下させる。図３のように受話器によって普段は押されている受話ボタン２１が解放されることによって音授受を開始する居室機２０の場合には、ボタン押下制御部１２２は、音検出部１２１が呼び出し音Ａを検出したときに、受話ボタン押下部１３０を制御して押下状態から非押下状態へ切り替えさせてもよい。また、ボタン押下制御部１２２は、受話ボタン押下部１３０を制御して非押下状態から押下状態へ切り替えた後に非押下状態に切り替えさせてもよく、又は押下状態から非押下状態へ切り替えた後に押下状態に切り替えさせてもよい。
【００６５】
これにより、玄関機１０と居室機２０との間で音の授受が開始されるため、解錠装置１００から携帯端末２００へ開始音Ｂを到達させ、また携帯端末２００から解錠装置１００へ解錠音Ｃを到達させることが可能になる。
【００６６】
ボタン押下制御部１２２は、音検出部１２１が呼び出し音Ａを検出したことに代えて、居室機２０上に設けられた画面又はランプの発光を検出することによって、玄関機１０と居室機２０との間で音の授受を開始させるように居室機２０を操作してもよい。この場合に、解錠装置１００は、居室機２０上に設けられた画面又はランプの発光を検出する光検出部を有する。光検出部は、画面又はランプの発光を検出した場合に解錠装置１００の制御部１２０へ信号を出力する光検出器（光センサ）を含む。
【００６７】
居室機２０は、玄関機１０から呼び出しを受けた場合に、呼び出し音Ａを出力するとともに、画面又はランプを発光させる。ボタン押下制御部１２２は、光検出部が画面又はランプの発光を検出した場合に、受話ボタン押下部１３０を制御して、玄関機１０と居室機２０との間で音の授受を開始させるように居室機２０の受話ボタン２１の押下状態を切り替える。これにより、玄関機１０と居室機２０との間で音の授受が開始されるため、解錠装置１００から携帯端末２００へ開始音Ｂを到達させ、また携帯端末２００から解錠装置１００へ解錠音Ｃを到達させることが可能になる。
【００６８】
このように、光検出部が居室機２０の画面又はランプの発光を検出した場合にボタン押下制御部１２２が居室機２０を操作することで、外部音が大きい環境においても誤動作の確率を下げることができる。
【００６９】
また、ボタン押下制御部１２２は、音検出部１２１が呼び出し音Ａを検出したことと、光検出部が居室機２０の画面又はランプの発光を検出したこととの少なくとも一方を条件として、玄関機１０と居室機２０との間で音の授受を開始させるように居室機２０を操作してもよい。
【００７０】
また、ボタン押下制御部１２２は、音検出部１２１が解錠音Ｃ（すなわち、携帯端末２００からの、解錠ボタン押下部１４０を非押下状態から押下状態に切り替えさせる切替情報）を検出した場合に、解錠ボタン押下部１４０を制御して非押下状態から押下状態へ切り替えさせ、居室機２０の解錠ボタン２２を押下させる。これにより、玄関機１０及び居室機２０は、集合玄関のドアを解錠する。
【００７１】
音生成部１２３は、受話ボタン押下部１３０が居室機２０の受話ボタン２１を押下した後、開始音Ｂを生成し、音出力部１５０から出力させる。これにより、開始音Ｂは玄関機１０及び居室機２０を介して携帯端末２００へ到達する。
【００７２】
本実施形態に係る解錠装置１００は、図６に示す具体的な構成に限定されない。解錠装置１００は、１つの装置に限られず、２つ以上の物理的に分離した装置が有線又は無線で接続されることにより構成されてもよい。
【００７３】
［携帯端末２００の構成］
図７は、本実施形態に係る携帯端末２００のブロック図である。図７において、矢印は主なデータの流れを示しており、図７に示したもの以外のデータの流れがあってよい。図７において、各ブロックはハードウェア（装置）単位の構成ではなく、機能単位の構成を示している。そのため、図７に示すブロックは単一の装置内に実装されてよく、あるいは複数の装置内に別れて実装されてよい。
【００７４】
携帯端末２００は、上述の表示部２１０、音出力部２２０及び音入力部２３０に加えて、制御部２４０と、通信部２５０と、操作部２６０と、記憶部２７０とを有する。制御部２４０は、音検出部２４１と、解錠許可取得部２４２と、表示制御部２４３と、操作検出部２４４と、音生成部２４５とを有する。
【００７５】
通信部２５０は、有線又は無線のネットワークを介して管理サーバ３００との間で通信をするための通信インターフェースである。通信部２５０は、通信を行うためのプロセッサ、コネクタ、アンテナ等を含む。通信部２５０は、管理サーバ３００から受信した通信信号に所定の処理を行ってデータを取得し、取得したデータを制御部２４０に入力する。また、通信部２５０は、制御部２４０から入力されたデータに所定の処理を行って通信信号を生成し、生成した通信信号を管理サーバ３００に送信する。
【００７６】
操作部２６０は、ユーザからの操作を受け付ける入力装置を有する。操作部２６０は、ユーザによる入力を示す情報を制御部２４０に入力する。本実施形態では、表示部２１０としてユーザによる接触の位置を検出可能なタッチスクリーンを用いることによって、表示部２１０と操作部２６０とが一体に構成されている。
【００７７】
記憶部２７０は、ＲＯＭ、ＲＡＭ、ハードディスクドライブ等を含む記憶媒体である。記憶部２７０は、制御部２４０が実行するプログラムを予め記憶している。
【００７８】
制御部２４０は、例えばＣＰＵ等のプロセッサであり、記憶部２７０に記憶されたプログラムを実行することにより、音検出部２４１、解錠許可取得部２４２、表示制御部２４３、操作検出部２４４及び音生成部２４５として機能する。制御部２４０の機能の少なくとも一部は、電気回路によって実行されてもよい。また、制御部２４０の機能の少なくとも一部は、ネットワーク経由で実行されるプログラムによって実行されてもよい。
【００７９】
音検出部２４１は、音入力部２３０が取得した音から、開始音Ｂを検出する。具体的には、携帯端末２００は、記憶部２７０に、予め開始音Ｂ（又は開始音Ｂから生成した特徴情報）を記録しておく。音検出部２４１は、音入力部２３０が取得した音の全部又は一部が、記憶部２７０に記憶された開始音Ｂと一致又は類似する場合に、開始音Ｂを検出する。
【００８０】
開始音Ｂとして所定の規則によって符号化した音を用いる場合には、音検出部２４１は、該所定の規則によって音入力部２３０が取得した音を復号する。そして音検出部２４１は、復号した音の全部又は一部が、記憶部２７０に記憶された開始音Ｂと一致又は類似する場合に、開始音Ｂを検出する。
【００８１】
解錠許可取得部２４２は、音検出部２４１が開始音Ｂを検出した場合に、管理サーバ３００から、解錠許可を示す情報を取得する。具体的には、管理サーバ３００は、予めユーザを認証し、認証されたユーザが有する携帯端末２００の識別情報（ＩＤ、電話番号等）と、解錠を許可する時間とを関連付けて記憶する。ユーザの認証は、例えば携帯端末２００において管理サーバ３００からユーザに割り振られたＩＤ及びパスワードを入力することによって行われる。
【００８２】
解錠許可取得部２４２は、管理サーバ３００に、携帯端末２００の識別情報を送信する。管理サーバ３００は、受信した携帯端末２００の識別情報に関連付けられた解錠を許可する時間を読み出し、現在時間が解錠を許可する時間に該当する場合に、携帯端末２００に解錠許可を示す情報を送信する。これにより解錠許可取得部２４２は、管理サーバ３００から、解錠許可を示す情報を取得することができる。
【００８３】
表示制御部２４３は、解錠許可取得部２４２が管理サーバ３００から解錠許可を取得できた場合に、仮想的な解錠ボタン２１１を表示部２１０に表示させる制御を行う。操作検出部２４４は、操作部２６０（本実施形態ではタッチスクリーンである表示部２１０）においてユーザが解錠ボタン２１１を押下したことを検出する。このとき、操作検出部２４４は、解錠を行った携帯端末２００のユーザ及び時間を示す情報を管理サーバ３００に送信し、記録させる。これにより、解錠システムＳは誰がいつ解錠を行ったかを管理することができるため、セキュリティが向上する。
【００８４】
音生成部２４５は、操作検出部２４４が仮想的な解錠ボタン２１１の押下を検出した場合に、解錠装置１００の解錠ボタン押下部１４０を非押下状態から押下状態に切り替えさせる切替情報としての解錠音Ｃを生成し、音出力部２２０から出力させる。これにより、解錠音Ｃは玄関機１０及び居室機２０を介して解錠装置１００へ到達する。
【００８５】
図１０は、携帯端末２００が解錠音Ｃを生成する具体的な方法を説明する模式図である。居室に設置されるそれぞれの解錠装置１００には、解錠装置１００を識別するための識別情報（例えば解錠装置ＩＤ）が割り振られている。また、解錠装置１００の記憶部１７０は、解錠装置１００ごとに設定された鍵情報を予め記憶している。管理サーバ３００は、解錠装置１００の識別情報と、解錠装置１００ごとに設定された鍵情報とを、関連付けて予め記憶部に記憶している。鍵情報は、後述する解錠用パスワードを生成するための文字列を含む。
【００８６】
解錠の事前準備として、ユーザは、ユーザを識別するための識別情報であるユーザＩＤとともに、解錠をしたい解錠装置１００の識別情報及び解錠をしたい時間を、管理サーバ３００に対して予め申請しておく。管理サーバ３００は、申請されたユーザＩＤと、該ユーザに対して解錠を許可する解錠装置１００の識別情報と、該ユーザに対して解錠を許可する時間範囲とを、関連付けて記憶する。解錠を許可する時間範囲は、例えばユーザが申請した解錠をしたい時間を含む所定の長さの時間範囲である。解錠装置１００を提供する事業者が、ユーザが申請した解錠をしたい時間に基づいて、解錠装置１００に対して解錠を許可する時間範囲を設定してもよい。あるいは、解錠装置１００が、ユーザが申請した解錠をしたい時間に基づいて、解錠を許可する時間範囲を自動的に決定してもよい。
【００８７】
解錠を実行する際に、まず表示制御部２４３は、ユーザＩＤを入力するためのＩＤ欄２１２と、認証のためのパスワードを入力するためのパスワード欄２１３と、仮想的な送信ボタン２１４とを表示部２１０に表示させる制御をする。ユーザがＩＤ欄２１２及びパスワード欄２１３に自身のユーザＩＤ及びパスワードを入力した後に送信ボタン２１４を押下すると、解錠許可取得部２４２は、管理サーバ３００に、該ＩＤ及び該パスワードを携帯端末２００の識別情報として送信する。携帯端末２００の識別情報として、携帯端末２００の電話番号、製造番号等の情報を用いてもよい。
【００８８】
管理サーバ３００は、受信した携帯端末２００の識別情報（ここではユーザＩＤ及びパスワード）を用いて、携帯端末２００のユーザを認証する。そして管理サーバ３００は、認証したユーザのユーザＩＤに関連付けられた解錠を許可する時間範囲と、解錠を許可する解錠装置１００の識別情報とを記憶部から取得する。現在時刻が解錠を許可する時間範囲に含まれる場合に、管理サーバ３００は、解錠装置１００の識別情報に関連付けられた鍵情報に対応する情報である解錠コードを生成する。ユーザを認証できない場合又は現在時刻が解錠を許可する時間範囲に含まれない場合に、管理サーバ３００は、解錠許可を示す情報を携帯端末２００に送信しない。
【００８９】
具体的には、管理サーバ３００は、解錠コードとして、鍵情報及び現在時刻に基づいてワンタイムパスワードを生成する。ワンタイムパスワードは、現在時刻を含む所定の時間範囲内（例えば３０秒間又は６０秒間）に有効となり、該時間範囲外に無効となるパスワードの文字列である。管理サーバ３００は、鍵情報及び現在時刻に基づいてワンタイムパスワードを生成するために、既知の方法を用いることができる。
【００９０】
解錠コードとしてワンタイムパスワードを用いることによって、第三者がワンタイムパスワードを入手したとしても、有効な時間範囲を過ぎればワンタイムパスワードが無効になり、解錠装置１００の解錠を行えなくなるため、安全性を向上できる。また、正規のユーザであっても、有効な時間範囲を過ぎればワンタイムパスワードが無効になり、解錠装置１００の解錠を行えなくなるため、ユーザごと及び時間ごとの解錠可否の管理が容易になる。
【００９１】
そして管理サーバ３００は、生成した解錠コードを、解錠許可を示す情報として携帯端末２００に送信する。管理サーバ３００は、鍵情報そのものではなく、鍵情報に基づいて生成された解錠コードを携帯端末２００に送信するため、通信経路において第三者に鍵情報が不正に取得されるおそれがないという利点がある。
【００９２】
携帯端末２００が、鍵情報に基づいて解錠コードを生成してもよい。この場合に、管理サーバ３００は、鍵情報を、解錠許可を示す情報として携帯端末２００に送信する。携帯端末２００は、管理サーバ３００から受信した鍵情報と、現在時刻とに基づいて、上述の解錠コード（ワンタイムパスワード）を生成する。このような方法により、例えば携帯端末２００が管理サーバ３００から鍵情報を受信した後に通信不可能な場所に移動した場合であっても、受信済の鍵情報と現在時刻に基づいて解錠コードを生成できるため、利便性を向上できる。
【００９３】
そして携帯端末２００において、解錠許可取得部２４２が管理サーバ３００から受信することによって又は自身で生成することによって解錠コードを取得すると、表示制御部２４３は、取得した解錠コード２１５と、仮想的な再生ボタン２１６（解錠ボタン）とを表示部２１０に表示させる制御をする。表示制御部２４３は、解錠コード２１５の表示を省略し、再生ボタン２１６のみを表示してもよい。
【００９４】
音生成部２４５は、操作検出部２４４が再生ボタン２１６の押下を検出した場合に、解錠コードに対応する解錠音Ｃを生成し、音出力部２２０から出力させる。具体的には、携帯端末２００には、文字と所定の音との間の対応関係が予め記憶される。音生成部２４５は、該対応関係に基づいて、解錠コードの文字列が含む各文字に対応する音を順に繋げることによって、解錠音Ｃを生成する。これにより、解錠音Ｃは玄関機１０及び居室機２０を介して解錠装置１００へ到達する。
【００９５】
表示制御部２４３は、再生ボタン２１６の代わりに、文字及び数字を示す仮想的なキーを含むキーボードを表示部２１０に表示させてもよい。この場合に、ユーザが解錠コード２１５が示す文字又は数字のキーを順に押下すると、音生成部２４５は、押下された文字又は数字に対応する音を、解錠音Ｃとして順に音出力部２２０から出力させる。携帯端末２００がハードウェアであるキーボードを備える場合には、該キーボードのキーを用いてもよい。
【００９６】
解錠装置１００において、音検出部１２１は、音入力部１６０が取得した音から解錠音Ｃを検出する際に、解錠音Ｃが示す解錠コードを取得する。具体的には、解錠装置１００には、携帯端末２００と共通の、文字と所定の音との間の対応関係が予め記憶される。音検出部１２１は、該対応関係に基づいて、解錠音Ｃが含む音が示す文字を順に繋げることによって、解錠コードを取得する。
【００９７】
ボタン押下制御部１２２は、記憶部１７０から鍵情報を取得し、取得した鍵情報と、現在時刻とに基づいて、上述の解錠コード（ワンタイムパスワード）を生成する。そしてボタン押下制御部１２２は、解錠音Ｃが示す解錠コードと、鍵情報に基づいて生成した解錠コードとが一致した場合に、解錠ボタン押下部１４０を制御して非押下状態から押下状態へ切り替えさせ、居室機２０の解錠ボタン２２を押下させる。
【００９８】
本実施形態に係る携帯端末２００は、図７に示す具体的な構成に限定されない。携帯端末２００は、１つの装置に限られず、２つ以上の物理的に分離した装置が有線又は無線で接続されることにより構成されてもよい。
【００９９】
図６に示す構成の解錠装置１００及び図７に示す構成の携帯端末２００が協働することによって、図５に示す解錠方法が実現される。
【０１００】
［解錠方法のフローチャート］
図８は、本実施形態に係る解錠システムＳによる解錠方法のフローチャートを示す図である。図８のフローチャートは、例えば居室機２０に取り付けられた解錠装置１００が起動されることによって開始される。
【０１０１】
まず解錠装置１００の音検出部１２１は、音入力部１６０が取得した音から、呼び出し音Ａを検出する（Ｓ１１）。ステップＳ１１で音検出部１２１が呼び出し音Ａを検出しない場合に（Ｓ１２のＮＯ）、音検出部１２１は、ステップＳ１１を繰り返す。
【０１０２】
ステップＳ１１で音検出部１２１が呼び出し音Ａを検出した場合に（Ｓ１２のＹＥＳ）、解錠装置１００のボタン押下制御部１２２は、受話ボタン押下部１３０を制御して非押下状態から押下状態へ切り替えさせ、居室機２０の受話ボタン２１を押下させる（Ｓ１３）。図３のように受話器によって普段は押されている受話ボタン２１が解放されることによって音授受を開始する居室機２０の場合には、ボタン押下制御部１２２は、音検出部１２１が呼び出し音Ａを検出したときに、受話ボタン押下部１３０を制御して押下状態から非押下状態へ切り替えさせてもよい。
【０１０３】
その後、解錠装置１００の音生成部１２３は、開始音Ｂを生成し、音出力部１５０から出力させる（Ｓ１４）。開始音Ｂは、居室機２０及び玄関機１０を介して携帯端末２００に到達する。携帯端末２００の音検出部２４１は、音入力部２３０が取得した音から、開始音Ｂを検出する（Ｓ１５）。そして携帯端末２００の解錠許可取得部２４２は、音検出部２４１が開始音Ｂを検出した後、管理サーバ３００から、解錠許可を示す情報を取得する（Ｓ１６）。
【０１０４】
ステップＳ１６で解錠許可取得部２４２が管理サーバ３００から解錠許可を取得できない場合に（Ｓ１７のＮＯ）、解錠システムＳはステップＳ１１に戻る。
【０１０５】
ステップＳ１６で解錠許可取得部２４２が管理サーバ３００から解錠許可を取得できた場合に（Ｓ１７のＹＥＳ）、携帯端末２００の表示制御部２４３は仮想的な解錠ボタン２１１を表示部２１０に表示させる制御を行い、操作検出部２４４は操作部２６０においてユーザによる操作を検出する（Ｓ１８）。
【０１０６】
そして携帯端末２００の音生成部２４５は、操作検出部２４４が仮想的な解錠ボタン２１１の押下を検出した後、解錠音Ｃを生成し、音出力部２２０から出力させる（Ｓ１９）。解錠音Ｃは、玄関機１０及び居室機２０を介して解錠装置１００に到達する。
【０１０７】
解錠装置１００の音検出部１２１は、音入力部１６０が取得した音から、解錠音Ｃを検出する（Ｓ２０）。ステップＳ２０で音検出部１２１が解錠音Ｃを検出しない場合に（Ｓ２１のＮＯ）、解錠システムＳはステップＳ１１に戻る。
【０１０８】
ステップＳ２０で音検出部１２１が解錠音Ｃを検出した場合に（Ｓ２１のＹＥＳ）、解錠装置１００のボタン押下制御部１２２は、解錠ボタン押下部１４０を制御して非押下状態から押下状態へ切り替えさせ、居室機２０の解錠ボタン２２を押下させる（Ｓ２２）。これにより、玄関機１０及び居室機２０は、集合玄関のドアを解錠する。
【０１０９】
本実施形態に係る解錠装置１００は、図２及び図３に例示した受話ボタン２１及び解錠ボタン２２を備える居室機２０に限らず、受話ボタン２１及び解錠ボタン２２の機能を兼ねる１つのボタンを備えた居室機２０にも適用可能である。
【０１１０】
図１１は、本実施形態に係る解錠装置１００の前面図である。図１１の居室機２０は、図２の居室機２０の構成において、受話ボタン２１及び解錠ボタン２２の代わりに、兼用ボタン２５を有する。居室機２０は、玄関機１０からの呼び出しを受けた際に兼用ボタン２５が押下されると音の授受を開始し、音の授受を開始した後に兼用ボタン２５が再び押下されると集合玄関のドアを解錠する。
【０１１１】
受話ボタン押下部１３０は、第１レール１１２上で、居室機２０の前方に設けられている。受話ボタン押下部１３０は、制御部１２０による制御に従って、兼用ボタン２５を押下した状態（押下状態）と押下していない状態（非押下状態）とを切り替えるように駆動する。受話ボタン押下部１３０に代えて、解錠ボタン押下部１４０が兼用ボタン２５の押下状態及び非押下状態を切り替え可能に設けられてもよい。
【０１１２】
ボタン押下制御部１２２は、音検出部１２１が呼び出し音Ａを検出した場合に、受話ボタン押下部１３０を制御して非押下状態から押下状態へ切り替えさせ、兼用ボタン２５を押下させる。そして、ボタン押下制御部１２２は、受話ボタン押下部１３０を制御して押下状態から非押下状態へ切り替えさせ、兼用ボタン２５の押下を解除する。その後、ボタン押下制御部１２２は、音検出部１２１が解錠音Ｃを検出した場合に、受話ボタン押下部１３０を制御して非押下状態から押下状態へ切り替えさせ、兼用ボタン２５を再び押下させる。これにより、玄関機１０及び居室機２０は、集合玄関のドアを解錠する。
【０１１３】
ボタン押下制御部１２２が受話ボタン２１及び解錠ボタン２２の押下状態を切り替えるか、兼用ボタン２５の押下状態を切り替えるかは、制御部１２０に予め設定される。このような構成により、解錠装置１００は、受話ボタン２１及び解錠ボタン２２を備える居室機２０と、兼用ボタン２５を備える居室機２０との両方に適用可能である。
【０１１４】
［第１の実施形態の効果］
本実施形態に係る解錠システムＳにおいて、解錠装置１００及び携帯端末２００は、インターホンシステムの玄関機１０及び居室機２０を介して切替情報としての音を授受することによって解錠を行うため、居室内に人がいなくても遠隔で集合玄関のドアを解錠することができる。携帯端末２００は管理サーバ３００によって認証され、解錠を行ったユーザや時間の情報が記録されるため、セキュリティを向上させることができる。
【０１１５】
また、解錠装置１００は既存のインターホンシステムに取り付けることができる。そのため、必要なときのみ解錠装置１００を取り付けることができ、不要になったら解錠装置１００を取り外して再利用できるため、低コストである。
【０１１６】
（第２の実施形態）
第１の実施形態における解錠装置１００は切替情報として音を授受することによって解錠を行うのに対して、本実施形態における解錠装置１００は切替情報としてデータを通信で授受することによって解錠を行う。それ以外の構成は第１の実施形態と同様である。
【０１１７】
［解錠装置１００の構成］
図９は、本実施形態に係る解錠装置１００のブロック図である。本実施形態に係る解錠装置１００は、図６の構成に加えて、さらに通信部１８０を有する。
【０１１８】
通信部１８０は、有線又は無線のネットワークを介して管理サーバ３００との間で通信をするための通信インターフェースである。通信部１８０は、通信を行うためのプロセッサ、コネクタ、アンテナ等を含む。通信部１８０は、管理サーバ３００から受信した通信信号に所定の処理を行ってデータを取得し、取得したデータを制御部１２０に入力する。また、通信部１８０は、制御部１２０から入力されたデータに所定の処理を行って通信信号を生成し、生成した通信信号を管理サーバ３００に送信する。
【０１１９】
携帯端末２００の操作検出部２４４は、操作部２６０においてユーザが仮想的な解錠ボタン２１１を押下したことを検出した場合に、通信部２５０を介して管理サーバ３００に仮想的な解錠ボタン２１１の押下を示す情報を、解錠装置１００のボタン押下制御部１２２を非押下状態から押下状態に切り替えさせる切替情報として送信する。管理サーバ３００は、携帯端末２００から受信した切替情報を、解錠装置１００に転送する。
【０１２０】
解錠装置１００のボタン押下制御部１２２は、通信部１８０を介して管理サーバ３００から切替情報を受信する。そしてボタン押下制御部１２２は、切替情報を受信した場合に、解錠ボタン押下部１４０を制御して非押下状態から押下状態へ切り替えさせ、居室機２０の解錠ボタン２２を押下させる。これにより、玄関機１０及び居室機２０は、集合玄関のドアを解錠する。
【０１２１】
ここでは第１の実施形態における解錠音Ｃの授受の代わりに解錠装置１００及び携帯端末２００が通信によるデータの授受を行っているが、開始音Ｂの授受の代わりに解錠装置１００及び携帯端末２００が通信によるデータの授受を行ってもよい。
【０１２２】
［第２の実施形態の効果］
本実施形態は、第１の実施形態と同様の効果を奏する。また、第１の実施形態に係る解錠装置１００は所定の音を授受することによって解錠を行うため、インターホンシステムのスピーカやマイクの性能が悪いと解錠がうまくいかない可能性がある。それに対して、本実施形態に係る解錠装置１００は、インターホンシステムのスピーカやマイクの性能に左右されることなく、通信によるデータ授受によって解錠を行うことができる。
【０１２３】
（第３の実施形態）
本実施形態に係る解錠装置１００は、居室機２０のボタンの押下状態を切り替えることなく、音の授受及び解錠を行う。図１２は、本実施形態に係る解錠装置１００の前面図である。本実施形態に係る解錠装置１００は、図２の解錠装置１００の構成において、第１レール１１２、第２レール１１３、受話ボタン押下部１３０、及び解錠ボタン押下部１４０が省略されている。解錠装置１００の制御部１２０は、居室機２０に信号を送信するための信号線１１５を介して、居室機２０と電気的に接続されている。
【０１２４】
居室機２０は、制御部１２０から信号線１１５を介して所定の受話信号を受信した場合に、玄関機１０との間で音の授受を開始する。居室機２０は、制御部１２０から信号線１１５を介して所定の解錠信号を受信した場合に、集合玄関のドアを解錠する。
【０１２５】
本実施形態に係る解錠装置１００において、ボタン押下制御部１２２は、居室機２０のボタンの押下状態を切り替える代わりに、信号線１１５を介して居室機２０に受話信号又は解錠信号を送信することによって、居室機２０に音の授受及び解錠を行わせる居室機操作部として機能する。
【０１２６】
具体的には、ボタン押下制御部１２２は、音検出部１２１が呼び出し音Ａを検出した場合に、信号線１１５を介して居室機２０に受話信号を送信することによって、居室機２０と玄関機１０との間で音の授受を開始させる。その後、ボタン押下制御部１２２は、音検出部１２１が解錠音Ｃを検出した場合に、信号線１１５を介して居室機２０に解錠信号を送信することによって、居室機２０及び玄関機１０に集合玄関のドアを解錠させる。
【０１２７】
このように本実施形態に係る解錠装置１００は、居室機２０のボタンを押下することなく、居室機２０に信号線１１５を介して信号を送信することによって、居室内に人がいなくても遠隔で集合玄関のドアを解錠することができる。
【０１２８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【０１２９】
解錠装置１００及び携帯端末２００のプロセッサは、図８に示す解錠方法に含まれる各ステップ（工程）の主体となる。すなわち、プロセッサは、図８に示す解錠方法を実行するための解錠プログラムを記憶部から読み出し、該解錠プログラムを実行して解錠装置１００及び携帯端末２００の各部を制御することによって、図８に示す解錠方法を実行する。
【符号の説明】
【０１３０】
Ｓ  解錠システム
１００  解錠装置
１１０  筐体
１１１  固定部
１１２  第１レール
１１３  第２レール
１２０  制御部
１２１  音検出部
１２２  ボタン押下制御部
１２３  音生成部
１３０  受話ボタン押下部
１４０  解錠ボタン押下部
１５０  音出力部
１６０  音入力部
１８０  通信部
２００  携帯端末
２２０  音出力部
２３０  音入力部
２４０  制御部
３００  管理サーバ
【図１】
2019213175.tif 000003
【図２】
2019213175.tif 000004
【図３】
2019213175.tif 000005
【図４】
2019213175.tif 000006
【図５】
2019213175.tif 000007
【図６】
2019213175.tif 000008
【図７】
2019213175.tif 000009
【図８】
2019213175.tif 000010
【図９】
2019213175.tif 000011
【図１０】
2019213175.tif 000012
【図１１】
2019213175.tif 000013
【図１２】
2019213175.tif 000014
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
建物の玄関に設置される玄関機と、前記建物の居室に設置されており、前記玄関機が操作されたことにより呼び出し音を出力する居室機とを備えるインターホンシステムの前記居室機に取り付けられる筐体と、
前記呼び出し音と、前記呼び出し音とは異なる所定の解錠音とを検出する音検出部と、
鍵情報を記憶する記憶部と、
前記音検出部が前記呼び出し音を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する居室機操作部と、
を有する解錠装置。
【請求項２】
建物の玄関に設置される玄関機と、前記建物の居室に設置されており、前記玄関機が操作されたことにより発光する画面又はランプを備える居室機とを備えるインターホンシステムの前記居室機に取り付けられる筐体と、
所定の解錠音を検出する音検出部と、
前記画面又は前記ランプの発光を検出する光検出部と、
鍵情報を記憶する記憶部と、
前記光検出部が前記発光を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する居室機操作部と、
を有する解錠装置。
【請求項３】
前記居室機操作部は、前記記憶部に記憶された前記鍵情報及び現在時刻に基づいて解錠コードを生成し、前記解錠音が前記解錠コードを示す場合に、前記玄関を解錠するように前記居室機を操作する、請求項１又は２に記載の解錠装置。
【請求項４】
前記筐体上で前記居室機の前方に支持され、前記居室機上に設けられたボタンの押下状態を切り替えるボタン押下部をさらに有し、
前記居室機操作部は、前記音検出部が前記記憶部に記憶された前記鍵情報に対応する情報を示す前記解錠音を検出した場合に、前記玄関を解錠するように前記ボタンの押下状態を前記ボタン押下部に切り替えさせる、請求項１から３のいずれか一項に記載の解錠装置。
【請求項５】
前記筐体は、前記居室機の前方に横架されるレールを含み、
前記ボタン押下部は、前記レール上に摺動可能に支持される、請求項４に記載の解錠装置。
【請求項６】
前記筐体は、対向する２方向から前記居室機を挟持する固定部を含み、前記固定部によって前記居室機に取り付けられる、請求項４又は５に記載の解錠装置。
【請求項７】
前記居室機に接続されており、前記居室機に信号を送信するための信号線をさらに有し、
前記居室機操作部は、前記音検出部が前記記憶部に記憶された前記鍵情報に対応する情報を示す前記解錠音を検出した場合に、前記玄関を解錠する信号を前記居室機に前記信号線を介して送信する、請求項１又は２に記載の解錠装置。
【請求項８】
解錠装置と、携帯端末と、を備え、
前記解錠装置は、
建物の玄関に設置される玄関機と、前記建物の居室に設置されており、前記玄関機が操作されたことにより呼び出し音を出力する居室機とを備えるインターホンシステムの前記居室機に取り付けられる筐体と、
前記呼び出し音と、前記呼び出し音とは異なる所定の解錠音とを検出する音検出部と、
鍵情報を記憶する記憶部と、
前記音検出部が前記呼び出し音を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する居室機操作部と、
を有し、
前記携帯端末は、前記解錠装置に対して、前記解錠音を出力する音出力部を有する、解錠システム。
【請求項９】
解錠装置と、携帯端末と、を備え、
前記解錠装置は、
建物の玄関に設置される玄関機と、前記建物の居室に設置されおり、前記玄関機が操作されたことにより発光する画面又はランプを備える居室機とを備えるインターホンシステムの前記居室機に取り付けられる筐体と、
所定の解錠音を検出する音検出部と、
前記画面又は前記ランプの発光を検出する光検出部と、
鍵情報を記憶する記憶部と、
前記光検出部が前記発光を検出した場合に、前記玄関機と前記居室機との間の音の授受を開始させるように前記居室機を操作するとともに、前記授受が開始された後に前記音検出部が前記記憶部に記憶された前記鍵情報に対応する情報を示す前記解錠音を検出した場合に、前記玄関を解錠するように前記居室機を操作する居室機操作部と、
を有し、
前記携帯端末は、前記解錠装置に対して、前記解錠音を出力する音出力部を有する、解錠システム。
【請求項１０】
前記携帯端末を認証するサーバをさらに備え、
前記携帯端末は、前記サーバによって認証された場合に、前記解錠音を出力する、請求項８又は９に記載の解錠システム。
【請求項１１】
前記携帯端末は、前記サーバによって認証された場合に、前記サーバから前記鍵情報に対応する解錠コードを受信し、受信した前記解錠コードを示す前記解錠音を出力する、請求項１０に記載の解錠システム。
【請求項１２】
前記携帯端末は、前記サーバによって認証された場合に、前記サーバから前記鍵情報を受信し、受信した前記鍵情報及び現在時刻に基づいて解錠コードを生成し、生成した前記解錠コードを示す前記解錠音を出力する、請求項１０に記載の解錠システム。